(57)【特許請求の範囲】
【請求項１】
赤外線センサーと温度センサーと書き替え可能な記憶媒体とを備えた赤外線体温計の前記記憶媒体にデータを書き込むデータ書き込みシステムであって、
赤外線体温計を環境温度およびターゲット温度の組み合わせが異なる複数の条件下におき、各々について前記赤外線センサーからの出力値および前記温度センサーからの出力値を得る工程と、
前記両出力値を用いて最小二乗法により近似多項式における校正定数を求める工程と、
求められた前記校正定数と環境温度の経時変化に伴う測定誤差をキャンセルするための温度補正に用いる係数とを前記記憶媒体に書き込む工程とを有することを特徴とするデータ書き込みシステム。
【請求項２】
前記校正定数の書き込みは、それまで記憶されていた前記両出力値の一部または全部の消去を伴って行われる請求項１に記載のデータ書き込みシステム。
【請求項３】
前記校正定数の書き込みは、それまで記憶されていた前記両出力値を消去することなく行われる請求項１に記載のデータ書き込みシステム。
【請求項４】
前記両出力値は、前記測定機器の校正用データである請求項１ないし３のいずれかに記載のデータ書き込みシステム。
【請求項５】
前記係数は、温度補正の補正量を求める計算式において、環境温度の変化の割合が０以上の場合の係数と、環境温度の変化の割合が０未満の場合の係数と、補正量の上限値および下限値とを含む請求項１ないし４のいずれかに記載のデータ書き込みシステム。
【請求項６】
前記記憶媒体に書き込む工程は、前記赤外線体温計の外部に設置されたパーソナルコンピュータからの命令信号により行われる請求項１ないし５のいずれかに記載のデータ書き込みシステム。
【発明の詳細な説明】
【０００１】
【発明の属する技術分野】
本発明は、例えば体温計のような測定機器に対するデータの書き込みシステムに関する。
【０００２】
【従来の技術】
従来、病院等の医療機関や家庭などで体温の測定を行う体温計として、耳腔（外耳道）内にプローブ（検温部）を挿入し、耳内（鼓膜）から放射される赤外線（熱線）を検出し、その赤外線の強度によって体温を測定する赤外線体温計が提案されている。
【０００３】
この赤外線体温計の検温部は、冷接点および温接点を有する熱電対列で構成される赤外線センサーと、前記熱電対列の冷接点部分の温度（＝環境温度）を検出する温度センサーとを備えており、赤外線センサーおよび温度センサーから出力される信号値を所定の近似多項式に代入して体温を求める。
【０００４】
赤外線センサーおよび温度センサーの特性には、個体差があることから、個々の赤外線体温計毎に校正（キャリブレーション）、すなわち前記近似多項式における係数等の設定（内蔵するメモリーへの書き込み）を行う。
【０００５】
この係数等の校正定数の設定方法としては、個々の赤外線体温計を異なる複数の環境（条件）下におき、その都度、赤外線センサーおよび温度センサーから出力された検出信号（データ）をコンピュータへ送信し、その後、個々の赤外線体温計のデータを信号処理して前記校正定数を求め、該校正定数を赤外線体温計が内蔵するメモリーに書き込むことが考えられている。
しかしながら、この場合、次のような問題がある。
【０００６】
▲１▼  コンピュータとのデータの通信を多数回行うので、通信エラーによるトラブルが発生する可能性が高い。
【０００７】
▲２▼  多数回の通信を行うため、それに費やす時間により処理速度（タクト）が遅い。
【０００８】
▲３▼  個々の赤外線体温計と、それらに対応するデータとの対応管理（同定）を厳格に行う必要があり、煩雑である。
【０００９】
【発明が解決しようとする課題】
本発明の目的は、データの通信エラーによるトラブルを減少し、全体の処理時間が短く、また、個々の測定機器とデータとの対応を容易かつ確実に管理することができるデータ書き込みシステムを提供することにある。
【００１０】
【課題を解決するための手段】
このような目的は、下記（１）〜（６）の本発明により達成される。
【００１１】
（１）  赤外線センサーと温度センサーと書き替え可能な記憶媒体とを備えた赤外線体温計の前記記憶媒体にデータを書き込むデータ書き込みシステムであって、
赤外線体温計を環境温度およびターゲット温度の組み合わせが異なる複数の条件下におき、各々について前記赤外線センサーからの出力値および前記温度センサーからの出力値を得る工程と、
前記両出力値を用いて最小二乗法により近似多項式における校正定数を求める工程と、
求められた前記校正定数と環境温度の経時変化に伴う測定誤差をキャンセルするための温度補正に用いる係数とを前記記憶媒体に書き込む工程とを有することを特徴とするデータ書き込みシステム。
【００１２】
（２）  前記校正定数の書き込みは、それまで記憶されていた前記両出力値の一部または全部の消去を伴って行われる上記（１）に記載のデータ書き込みシステム。
【００１３】
（３）  前記校正定数の書き込みは、それまで記憶されていた前記両出力値を消去することなく行われる上記（１）に記載のデータ書き込みシステム。
【００１４】
（４）  前記両出力値は、前記測定機器の校正用データである上記（１）ないし（３）のいずれかに記載のデータ書き込みシステム。
【００１５】
（５）  前記係数は、温度補正の補正量を求める計算式において、環境温度の変化の割合が０以上の場合の係数と、環境温度の変化の割合が０未満の場合の係数と、補正量の上限値および下限値とを含む上記（１）ないし（４）のいずれかに記載のデータ書き込みシステム。
（６）  前記記憶媒体に書き込む工程は、前記赤外線体温計の外部に設置されたパーソナルコンピュータからの命令信号により行われる上記（１）ないし（５）のいずれかに記載のデータ書き込みシステム。
【００２２】
【発明の実施の形態】
以下、本発明のデータ書き込みシステムを添付図面に示す好適実施例に基づいて詳細に説明する。
【００２３】
図１は、本発明を赤外線体温計（測定機器）の校正に適用した場合のデータ書き込みシステムの実施例を模式的に示す図、図２は、本発明が適用される赤外線体温計（測定機器）の概略構成図、図３は、同赤外線体温計における検温部の構成を示す斜視図、図４は、同赤外線体温計の回路構成を示すブロック図、図５は、基準信号とＴＰ´信号またはＶＲＥＦ信号とを示すタイミングチャート、図６は、Ｆｔｈ信号またはＦｒｈ信号を示すタイミングチャート、図７は、演算部の回路構成を示すブロック図である。
【００２４】
まず、本実施例に適用される赤外線体温計について、図２〜図７に基づき説明する。
【００２５】
図２に示すように、赤外線体温計１は、耳内（鼓膜）から発せられる赤外線の強度を測定することにより体温を検出する耳式体温計であり、ケーシング２１を有する体温計本体２と、体温計本体２の外面に設置された電源スイッチ３、測定スイッチ４および表示部５と、体温計本体２に対しリングナット９により着脱自在に設置された筒状のプローブ６と、検温部７と、プローブ６の先端から導入された赤外線（熱線）を検温部７の赤外線センサー７１へ導くライトガイド（導波管）８と、体温計本体２に対し螺合するリングナット９とを有している。また、赤外線体温計１による体温測定時には、プローブ６にプローブカバー１１が被せられる。
【００２６】
体温計本体２のケーシング２１内には、回路基板３０が設置されており、この回路基板３０には、検温部７、マイクロコンピュータよりなる制御手段３１、増幅手段３２、切り替えスイッチ３５、積分回路３６、比較器３７、基準抵抗３８、切り替えスイッチ３９、中継回路４１、ブザー４２、メモリー４３および送・受信部４４が設置されている。
【００２７】
メモリー４３は、ＥＥＰＲＯＭのような書き換え可能なメモリー（記憶媒体）である。また、送・受信部４４は、後述するパソコン３０１〜３０４と通信するための通信ドライバおよび後述するピンブロックコネクタ５０１〜５０４と接続可能な通信用端子を有している。
【００２８】
また、ケーシング２１内には、バッテリーを収納する電源部４０が設置され、この電源部４０より、回路基板３０の各部へ電力が供給される。
【００２９】
制御手段３１は、演算部３１１、メモリー（ＲＡＭ、ＲＯＭ）３１２、タイマー（オートパワーオフタイマーを含む）３１３およびカウンター３１４を内蔵している。また、この制御手段３１は、無駄な電力消費を抑制するために、オートパワーオフタイマーを備えている。
【００３０】
検温部７は、赤外線センサー７１と、温度センサー７７とで構成されている。
【００３１】
図３に示すように、赤外線センサー７１は、サーモパイル（熱電対列）７２を備えている。そして、熱絶縁帯７５を介して中心側に位置する集熱部７６にサーモパイル７２の温接点７３が、熱絶縁帯７５の外周側に冷接点７４がそれぞれ設置された構成をなしている。
【００３２】
また、赤外線センサー７１の近傍には、温度センサー７７が設置されている。この温度センサー７７は、赤外線センサー７１の熱絶縁帯７５より外周側の温度、すなわち冷接点７４の温度を検出するとともに、雰囲気の温度（環境温度）を検出する。温度センサー７７としては、抵抗体で温度を測定するセンサーを用いる。抵抗体で温度を測定するセンサーとしては、例えば、サーミスタを用いることができる。
【００３３】
このような検温部７では、赤外線センサー７１および温度センサー７７により、それぞれ赤外線照射により暖められた温接点７３と赤外線が照射されない冷接点７４との温度差に相当する信号と、冷接点７４の近くの温度（環境温度）に相当する信号とを検出し、これらの関数により体温を測定することができる。
【００３４】
次に、赤外線体温計１の使用方法、回路構成および作用について説明する。
体温計本体２にプローブ６を螺合、装着し、さらに、該プローブ６にプローブカバー１１を被せる。次いで、その上から、リングナット９を挿通し、螺合する。これにより、プローブカバー１１の装着が完了する。
【００３５】
次に、電源スイッチ３をＯＮの状態とし、所定時間経過後、体温計本体２を把持し、プローブカバー１１で被包されたプローブ６を耳腔内に挿入する。
【００３６】
次に、測定スイッチ４を所定時間押圧する。これにより、体温の測定がなされる。すなわち、耳内（鼓膜）から放射された赤外線（熱線）は、プローブカバー１１の先端の膜を透過し、ライトガイド８内に導入され、その内面で反射を繰り返して検温部７の赤外線センサー７１に到達し、集熱部７６に照射される。
【００３７】
図４に示すように、赤外線センサー７１からは、正出力端子である温接点７３からの出力信号（ＴＰ信号）と負出力端子である冷接点７４からの出力信号（ＶＲＥＦ信号）が得られる。
【００３８】
赤外線センサー７１の冷接点７４からのＶＲＥＦ信号のレベル（電圧）は、環境温度によらず、一定（固定）である。
【００３９】
増幅手段３２は、第１アンプ３３と、この第１アンプ３３の出力側に接続された第２アンプ３４とで構成されている。なお、これら第１アンプ３３および第２アンプ３４は、それぞれ、差動アンプである。
【００４０】
赤外線センサー７１から出力されたＴＰ信号は、第１アンプ３３で増幅され、第２アンプ３４に入力される。なお、第１アンプ３３では、必要に応じて、ＴＰ信号、ＶＲＥＦ信号に含まれる不要な周波数帯域成分が除去される。
【００４１】
また、赤外線センサー７１から出力されたＶＲＥＦ信号は、第１アンプ３３と、第２アンプ３４に入力される。なお、第２アンプ３４でも、必要に応じて、後述するＴＰ″信号、ＶＲＥＦ信号に含まれる不要な周波数帯域成分が除去される。
【００４２】
第１アンプ３３では、ＴＰ信号とＶＲＥＦ信号との差分が増幅され、ＶＲＥＦ信号が加算された信号、ＴＰ″信号が得られる。さらに、第２アンプ３４で、ＴＰ″信号とＶＲＥＦ信号との差分が増幅され、ＶＲＥＦ信号が加算されてＴＰ´信号として出力される。このＴＰ´信号のレベルは、温接点７３と冷接点７４との温度差に対応する。そして、特定されない限り、赤外線センサーからの信号とは、ＴＰ´信号を意味する。
【００４３】
切り替えスイッチ３５がＴＰ´信号側に切り替わると、ＴＰ´信号が比較器３７に入力され、切り替えスイッチ３５がＶＲＥＦ信号側に切り替わると、第１アンプ３３からのＶＲＥＦ信号が比較器３７に入力される。この切り替えスイッチ３５の駆動は、制御手段３１により制御される。
【００４４】
第１アンプ３３からのＶＲＥＦ信号は、前記ＴＰ´信号を規格化する赤外線検出規格化信号にもなっている。このＶＲＥＦ信号でＴＰ´信号を規格化（厳密には、後述するＴｖｒｅｆでＴｔｐを規格化）することにより、例えば、回路の浮遊容量や、チップ部品のバラツキによる影響を軽減（キャンセル）することができ、これにより測定精度が向上する。なお、冷接点７４および第１アンプ３３により、赤外線検出規格化信号生成手段が構成される。
【００４５】
積分回路３６には、一定（固定）レベルの基準電圧が印加されている。積分回路３６では、この基準電圧に基づいて、基準信号が生成され、その基準信号は、比較器３７に入力される。なお、基準電圧は、ＴＰ´信号のレベルおよびＶＲＥＦ信号のレベルに比べ十分大きく設定されている。
【００４６】
ＴＰ´信号を検出する場合は、制御手段３１からの制御信号により、切り替えスイッチ３５がＴＰ´信号側に切り替わる。そして、制御手段３１から積分回路３６に、ＳＴＣ信号（サンプリングスタート信号）が送信される。
【００４７】
図５に示すように、積分回路３６では、ＳＴＣ信号を受信すると、基準信号のレベルを基準電圧から一定の勾配（傾き）で減少（降下）させる。
【００４８】
図４に示すように、比較器３７では、基準信号のレベルとＴＰ´信号のレベルとを比較し、基準信号のレベルがＴＰ´信号のレベルに一致すると、制御手段３１にＥＯＣ信号（サンプリング終了信号）を送信するとともに、積分回路３６にトリガ信号を送信する。
【００４９】
図５に示すように、積分回路３６では、トリガ信号を受信すると、基準信号のレベルを瞬時に元のレベル、すなわち基準電圧に復帰させる。
【００５０】
制御手段３１では、タイマー３１３により、ＳＴＣ信号を送信してからＥＯＣ信号を受信するまでの時間（Ｔｔｐ）を計測する。この時間情報、すなわちＴｔｐは、メモリー３１２に記憶される。
【００５１】
ＴＰ´信号のレベルは、温接点７３と冷接点７４との温度差に応じて変化し、Ｔｔｐもそれに応じて変化する。この場合、温接点７３と冷接点７４との温度差が大きいほど、ＴＰ´信号のレベルが大きく、Ｔｔｐは短い（小さい）。
【００５２】
図４に示すように、ＶＲＥＦ信号を検出する場合（赤外線検出規格化信号生成手段からの信号を検出する場合）は、制御手段３１からの制御信号により、切り替えスイッチ３５がＶＲＥＦ信号側に切り替わる。そして、制御手段３１から積分回路３６に、ＳＴＣ信号が送信される。
【００５３】
図５に示すように、積分回路３６では、ＳＴＣ信号を受信すると、基準信号のレベルを基準電圧から一定の勾配で減少させる。
【００５４】
図４に示すように、比較器３７では、基準信号のレベルとＶＲＥＦ信号のレベルとを比較し、基準信号のレベルがＶＲＥＦ信号のレベルに一致すると、制御手段３１にＥＯＣ信号を送信するとともに、積分回路３６にトリガ信号を送信する。
【００５５】
図５に示すように、積分回路３６では、トリガ信号を受信すると、基準信号のレベルを瞬時に元のレベル、すなわち基準電圧に復帰させる。
【００５６】
制御手段３１では、タイマー３１３により、ＳＴＣ信号を送信してからＥＯＣ信号を受信するまでの時間（Ｔｖｒｅｆ）を計測する。この時間情報、すなわちＴｖｒｅｆは、メモリー３１２に記憶される。
【００５７】
図４に示すように、中継回路４１は、図示しないコンデンサー等を有し、発振回路（ＣＲ発振回路）の一部を構成する。
【００５８】
切り替えスイッチ３９が温度センサー７７側に切り替わると、中継回路４１と温度センサー７７とで発振回路が構成され、切り替えスイッチ３９が基準抵抗３８側に切り替わると、中継回路４１と基準抵抗３８とで発振回路が構成される。この切り替えスイッチ３９の駆動は、制御手段３１により制御される。
【００５９】
温度センサー７７の抵抗値ＴＨは、環境温度に応じて変化するが、基準抵抗３８の抵抗値ＲＨは、環境温度によらず、一定（固定）である。
【００６０】
温度センサー７７の抵抗値ＴＨを検出する場合（温度センサー７７からの信号を検出する場合）は、制御手段３１からの制御信号により、切り替えスイッチ３９が温度センサー７７側に切り替わる。
【００６１】
これにより、中継回路４１と温度センサー７７とで発振回路が構成され、この発振回路により発振が生じる。そのときの信号（発振信号）、すなわち、Ｆｔｈ信号は、中継回路４１から出力され、制御手段３１に入力される。
【００６２】
図６に示すように、制御手段３１では、カウンター３１４により、入力されたＦｔｈ信号のパルス数を計数し、タイマー３１３により、前記カウンター３１４が所定数（例えば、２５６）  のパルスを計数するに要する時間（Ｔｔｈ）、すなわちＦｔｈ信号の周期（波長）の整数倍（例えば、２５６倍）の時間（Ｔｔｈ）を計測する。この時間情報、すなわちＴｔｈは、メモリー３１２に記憶される。
【００６３】
温度センサー７７の抵抗値ＴＨは、環境温度に応じて変化し、Ｔｔｈもそれに応じて変化する。この場合、環境温度が低いほど、温度センサー７７の抵抗値ＴＨは大きくなる。そして、ＣＲ発振回路では、発振信号の周期（波長）は、抵抗値に比例するので、環境温度が低いほど、Ｆｔｈ信号の周期が長く、Ｔｔｈは長い（大きい）。
【００６４】
図４に示すように、基準抵抗３８の抵抗値ＲＨを検出する場合（温度検出規格化信号を検出する場合）は、制御手段３１からの制御信号により、切り替えスイッチ３９が基準抵抗３８側に切り替わる。
【００６５】
これにより、中継回路４１と基準抵抗３８とで発振回路が構成され、この発振回路により発振が生じる。そのときの信号（発振信号）、すなわち、Ｆｒｈ信号は、中継回路４１から出力され、制御手段３１に入力される。
【００６６】
このＦｒｈ信号は、前記Ｆｔｈ信号を規格化する温度検出規格化信号である。このＦｒｈ信号でＦｔｈ信号を規格化（厳密には、後述するＴｒｈでＴｔｈを規格化）することにより、例えば、回路の浮遊容量や、チップ部品のバラツキの影響を軽減（キャンセル）することができ、これにより測定精度が向上する。なお、基準抵抗３８および中継回路４１により、温度検出規格化信号生成手段が構成される。
【００６７】
図６に示すように、制御手段３１では、カウンター３１４により、入力されたＦｒｈ信号のパルス数を計数し、タイマー３１３により、前記カウンター３１４が所定数（例えば、２５６個）  のパルスを計数するに要する時間（Ｔｒｈ）、すなわちＦｒｈ信号の周期（波長）の整数倍（例えば、２５６倍）の時間（Ｔｒｈ）を計測する。この時間情報、すなわちＴｒｈは、メモリー３１２に記憶される。
【００６８】
基準抵抗３８の抵抗値ＲＨは、環境温度によらず一定であるので、Ｆｒｈ信号の周期は一定であり、よって、Ｔｒｈは一定である。
【００６９】
制御手段３１の演算部３１１では、メモリー４３からＴｔｐ、Ｔｖｒｅｆ、ＴｔｈおよびＴｒｈを読み出し、ＴｔｐをＴｖｒｅｆで規格化し、ＴｔｈをＴｒｈで規格化する。すなわち、Ｔｔｐ／ＴｖｒｅｆおよびＴｔｈ／Ｔｒｈをそれぞれ求める。
【００７０】
そして、これらＴｔｐ／ＴｖｒｅｆおよびＴｔｈ／Ｔｒｈに基づいて、所定の演算処理を行い、また、必要に応じて所定の温度補正を行って、測定部位（熱源）の温度、すなわち、体温を求める。
【００７１】
求められた体温は、表示部５に表示される。また、体温の測定が終了すると、それを報知するためにブザー４２が鳴る。このブザー４２の報知により、操作者は、プローブ６を耳腔から抜き取る。
【００７２】
図７は、制御手段３１の演算部３１１の構成例を示すブロック図（概念図）である。
【００７３】
同図に示すように、演算部３１１は、温度センサー７７からの出力信号（直接信号）が入力され、その値（データ）を変換する直線化手段３１１ａと、この直線化手段３１１ａからの出力信号および赤外線センサー７１からの出力信号とに基づいて体温を求める演算器３１１ｂとを有している。
【００７４】
直線化手段３１１ａは、温度センサー７７の出力値ｙ（＝Ｔｔｈ／Ｔｒｈ：直接信号値）をｙ´に変換する。この変換は、ｙを温度値（環境温度値）に変換することなく、直線化手段３１１ａの出力値（ｙの変換後の値）ｙ´と環境温度との関係を示す特性（環境温度依存特性）が略直線状となるようになされる。
【００７５】
本実施例では、直線化手段３１１ａは、温度センサー７７の出力値ｙを下記（Ｉ）式および（ＩＩ）式によりｙ´に変換する。
【００７６】
ｚ  ＝（ｙ−β）／β        ・・・（Ｉ）
【００７７】
ｙ´＝ｚ／（１＋ｚ／２）    ・・・（ＩＩ）
【００７８】
ただし、上記（Ｉ）式のβは、環境温度が基準温度（基準環境温度、本実施例では２５℃）のときの温度センサー７７の出力値Ｔｔｈ／Ｔｒｈである。基準温度は、赤外線体温計１の動作が保証される環境温度のほぼ中心付近の温度に設定されている。このβは、個々の赤外線体温計１毎に設定される。
【００７９】
演算器３１１ｂは、赤外線センサー７１の出力値ｘ（＝Ｔｔｐ／Ｔｖｒｅｆ）および直線化手段３１１ａの出力値ｙ´を、これらｘおよびｙ´と、体温との関係を表す３次（パラメータｘおよびｙ´のそれぞれについて３次）の近似多項式ｆ２  （ｘ，ｙ´）、すなわち、下記（ＩＩＩ  ）式に代入して、体温（測定部位の温度）を求める。
【００８０】
0003619356.tif 000002
【００８１】
ただし、上記（ＩＩＩ  ）式のａ、ｂ、ｃ、ｄ、ｅ、ｆ、ｇ、ｈおよびｉは、それぞれ、係数である。各係数ａ〜ｉおよびｊは、個々の赤外線体温計１毎に、後述する校正により設定される校正定数である。
【００８２】
上記（Ｉ）式、（ＩＩ）式および（ＩＩＩ  ）式を含む演算のプログラムは、予め、メモリー３１２に記憶されており、後述する方法によりメモリー４３に書き込まれた各係数ａ〜ｊおよびβを該メモリー４３から読み出して演算を実行し、必要な温度補正（後述する補正量Ｕの加算）等を行って、体温を求める。
【００８３】
この赤外線体温計１では、前述したように、上記（Ｉ）式のβと、上記（ＩＩＩ  ）式のａ〜ｊは、後述する校正により予め設定される校正定数である。
βは、環境温度が２５℃のときのＴｔｈ／Ｔｒｈとされる。
【００８４】
複数（ｍ×ｎ個、ｍ、ｎは２以上の整数）の校正点、例えば、複数（ｎ個）の環境温度（例えば、５℃、１５℃、２５℃、３５℃）において、それぞれ、温度が既知の複数（ｍ個）の黒体炉（基準ターゲット）の温度（以下「ターゲット温度」と言う。例えば、３２℃、３７℃、４２℃）についての赤外線センサー７１からの出力Ｔｔｐ、Ｔｖｒｅｆおよび温度センサー７７からの出力Ｔｔｈ、Ｔｒｈをそれぞれ検出する。校正点の数が３×４＝１２の場合（以下、この場合について代表的に説明する）、１２組のＴｔｐ、Ｔｖｒｅｆ、Ｔｔｈ、Ｔｒｈが得られる。
【００８５】
次に、校正点毎に、ｙ（＝Ｔｔｈ／Ｔｒｈ）およびβを上記（Ｉ）式および（ＩＩ）式に代入してｙ´を求める。そして、求めたｙ´とｘ（＝Ｔｔｐ／Ｔｖｒｅｆ）とを上記（ＩＩＩ  ）式の右辺に、対応するターゲット温度を上記（ＩＩＩ  ）式の左辺に代入して、ａ〜ｊについての連立方程式（１２個の式）を得る。
この連立方程式から、例えば最小二乗法によりａ〜ｊが求まる。
【００８６】
次に、赤外線体温計１の校正のためのデータ書き込みシステム（設備）について、図１に基づき説明する。
【００８７】
図１に示すように、データ書き込みシステム１００は、赤外線体温計１がおかれる環境温度を一定に保持できる空間を形成するものとして、恒温槽１０１を有している。恒温槽１０１は、図示しない温度調節手段を有するとともに、その周囲が断熱材で覆われ、恒温槽内部を一定の温度に保持し得るよう構成されている。
【００８８】
システム制御部１０３の制御により、恒温槽１０１内の温度（環境温度）は、多段階に設定することができる。すなわち、本実施例では、環境温度を５℃、１５℃、２５℃、３５℃の４段階に設定することができる。
【００８９】
このような恒温槽１０１内には、校正に供される複数の赤外線体温計１を保持しておく体温計ストック部１０２と、それぞれ異なる条件で赤外線体温計１のメモリー（ＥＥＰＲＯＭ）４３（記憶媒体）に後述する元データを書き込むための第１ステージ２０１、第２ステージ２０２および第３ステージ２０３と、各元データに基づいて得られた目的データを赤外線体温計１のメモリー４３に書き込むための第４ステージ２０４とが、赤外線体温計１の搬送ラインに沿って設置されている。
【００９０】
各赤外線体温計１は、図示しないコンベアおよびロボットにより、前記搬送ラインに沿って搬送される。この場合、コンベアおよび搬送ロボットは、システム制御部１０３により、シーケンス制御されて作動する。
【００９１】
恒温槽１０１外には、４つのパーソナルコンピュータ（以下「パソコン」と言う）３０１、３０２、３０３、３０４が設置されている。これらのうち、パソコン３０４は、ホストコンピュータであり、パソコン３０１、３０２、３０３は、それぞれ、パソコン３０４に接続されたスレーブである。
【００９２】
第１ステージ２０１には、黒体炉（熱源）４０１とピンブロックコネクタ５０１が設置され、第２ステージ２０２には、黒体炉（熱源）４０２とピンブロックコネクタ５０２が設置され、第３ステージ２０３には、黒体炉（熱源）４０３とピンブロックコネクタ５０３が設置され、第４ステージ２０４には、ピンブロックコネクタ５０４が設置されている。
【００９３】
黒体炉４０１、４０２、４０３は、それぞれ、赤外線体温計１に異なるターゲット温度を与える。すなわち、本実施例では、黒体炉４０１、４０２、４０３は、それぞれ、３２℃、３７℃、４２℃のターゲット温度を持っている。
【００９４】
ピンブロックコネクタ５０１、５０２、５０３、５０４は、それぞれ、赤外線体温計１の送・受信部４４の通信用端子と接続可能なコネクタである。このうち、ピンブロックコネクタ５０４は、同時に３個の赤外線体温計１と接続可能なものである。
【００９５】
これらのピンブロックコネクタ５０１、５０２、５０３、５０４は、それぞれ、通信線を介して対応するパソコン３０１、３０２、３０３、３０４と接続されている。
【００９６】
なお、ピンブロックコネクタ５０１、５０２、５０３、５０４の赤外線体温計１への着脱は、前記ロボットにより行われる。
【００９７】
以上のようなデータ書き込み設備１００では、赤外線体温計１を異なる複数の条件下、すなわち、ｍ種のターゲット温度とｎ種の環境温度の組み合わせであるｍ×ｎ種（本実施例では、ｍ＝３、ｎ＝４）の条件下において、元データの収集を行うことができる。
【００９８】
次に、データ書き込みシステム１００によるデータ書き込み方法の一例を説明する。
【００９９】
［１］  恒温槽１０１内の温度を５℃に設定した状態で、体温計ストック部１０２にある赤外線体温計１は、第１ステージ２０１へ送られ、その送・受信部４４の通信用端子がピンブロックコネクタ５０１と接続されるとともに、黒体炉４０１のターゲット温度（３２℃）を測定可能な状態とされる。
【０１００】
この状態で、赤外線体温計１は、パソコン３０１から出力された元データ採取のための命令信号を受信すると、元データであるＴｔｐ、Ｔｖｒｅｆ、ＴｔｈおよびＴｒｈのサンプリング（データ収集）を行い、これらを図８に示すように、メモリー４３の所定のアドレスに記憶する。
【０１０１】
この元データの記憶が完了後、赤外線体温計１からピンブロックコネクタ５０１を取り外す。
【０１０２】
［２］  次に、赤外線体温計１は、第２ステージ２０２へ送られ、その送・受信部４４の通信用端子がピンブロックコネクタ５０２と接続されるとともに、黒体炉４０２のターゲット温度（３７℃）を測定可能な状態とされる。
【０１０３】
この状態で、赤外線体温計１は、パソコン３０２から出力された元データ採取のための命令信号を受信すると、元データであるＴｔｐ、Ｔｖｒｅｆ、ＴｔｈおよびＴｒｈのサンプリングを行い、これらを図８に示すように、メモリー４３の所定のアドレスに記憶する。
【０１０４】
この元データの記憶が完了後、赤外線体温計１からピンブロックコネクタ５０２を取り外す。
【０１０５】
［３］  次に、赤外線体温計１は、第３ステージ２０３へ送られ、その送・受信部４４の通信用端子がピンブロックコネクタ５０３と接続されるとともに、黒体炉４０３のターゲット温度（４２℃）を測定可能な状態とされる。
【０１０６】
この状態で、赤外線体温計１は、パソコン３０３から出力された元データ採取のための命令信号を受信すると、元データであるＴｔｐ、Ｔｖｒｅｆ、ＴｔｈおよびＴｒｈのサンプリングを行い、これらを図８に示すように、メモリー４３の所定のアドレスに記憶する。
【０１０７】
この元データの記憶が完了後、赤外線体温計１からピンブロックコネクタ５０３を取り外す。
【０１０８】
［４］  次に、赤外線体温計１は、第４ステージ２０４をそのまま通過し、再び体温計ストック部１０２へ戻される。
【０１０９】
［５］  体温計ストック部１０２にある全ての赤外線体温計１に対し、前記工程［１］〜［４］を実行する。
【０１１０】
［６］  恒温槽１０１内の温度を１５℃に変更し、前記工程［１］〜［５］を実行する。
【０１１１】
［７］  恒温槽１０１内の温度を２５℃に変更し、前記工程［１］〜［５］を実行する。
【０１１２】
［８］  恒温槽１０１内の温度を３５℃に変更し、前記工程［１］〜［３］を実行する。
【０１１３】
［９］  次に、赤外線体温計１は、第４ステージ２０４へ送られ、その送・受信部４４の通信用端子がピンブロックコネクタ５０４と接続される。
【０１１４】
この状態で、赤外線体温計１は、パソコン３０４から出力された元データ読み出しのための命令信号を受信すると、メモリー４３に記憶されている１２組のＴｔｐ、Ｔｖｒｅｆ、ＴｔｈおよびＴｒｈが読み出され、データ通信によりパソコン３０４に内蔵されたメモリーへ読み込まれる。
【０１１５】
なお、この元データの読み出しは、３個の赤外線体温計１に対し、同時に行っても、順次行ってもよい。
【０１１６】
［１０］  パソコン３０４は、読み込まれた１２組のＴｔｐ、Ｔｖｒｅｆ、ＴｔｈおよびＴｒｈに基づいてデータ処理（演算処理）を行い、目的データである校正定数（ｆｉｘ  ）ａ〜ｊと、βとを求める。
【０１１７】
ａ〜ｊおよびβの求め方は、次の通りである。
まず、βは、環境温度が２５℃のときのＴｔｈ／Ｔｒｈとされる。
【０１１８】
また、図８中の▲１▼▲２▼▲３▼▲４▼・・・の１２組のＴｔｐ、Ｔｖｒｅｆ、Ｔｔｈ、Ｔｒｈと、βについて、各組毎（各校正点毎）に、ｙ（＝Ｔｔｈ／Ｔｒｈ）およびβを上記（Ｉ）式および（ＩＩ）式に代入してｙ´を求める。そして、求めたｙ´とｘ（＝Ｔｔｐ／Ｔｖｒｅｆ）とを上記（ＩＩＩ  ）式の右辺に、対応するターゲット温度（３２℃、３７℃、４２℃）を上記（ＩＩＩ  ）式の左辺に代入して、ａ〜ｊについての連立方程式（１２個の式）を得る。
そして、この連立方程式から、最小二乗法によりａ〜ｊを求める。
【０１１９】
［１１］  パソコン３０４から出力された目的データ書き込みのための命令信号に基づき、図９に示すように、求められた校正定数ａ〜ｊ、βと、後述するｋ１〜ｋ５と、ｓｗ１  〜  ｓｗ４とを、メモリー４３の所定のアドレスに書き込む。これにより、赤外線体温計１の校正がなされる。
【０１２０】
なお、係数ｋ１〜ｋ５は、環境温度の経時変化に伴う測定誤差をキャンセルするための温度補正に用いる値である。このｋ１〜ｋ５は、補正量をＵ［℃］、環境温度の変化の割合（温度勾配）をＤＴＨ［℃／秒］としたとき、次式（ＩＶ）、（Ｖ）、（ＶＩ）で示される。
【０１２１】
Ｕ＝ｋ１×ＤＴＨ＋ｋ２（ＤＴＨ≧０のとき）      ・・・（ＩＶ）
【０１２２】
Ｕ＝ｋ３×ＤＴＨ＋ｋ４（ＤＴＨ＜０のとき）      ・・・（Ｖ）
【０１２３】
｜Ｕ｜≦ｋ５（ｋ５は、上限値および下限値）      ・・・（ＶＩ）
【０１２４】
また、ｓｗ１  〜  ｓｗ４は、赤外線体温計１のソフトウエアの動作仕様等を変更するためのスイッチ番号である。
【０１２５】
このような目的データは、それまで記憶されていた各元データの一部または全部消去を伴って行われる。すなわち、本実施例では、メモリー４３のアドレス００ｈから３Ｆｈまでの全てのデータが書き換えられる。これにより、容量の少ないメモリー４３で上記方法が達成できるという利点がある。
【０１２６】
また、図示と異なり、メモリー４３にそれまで記憶されていた各元データを消去することなく、目的データの書き込みを行うこともできる。この場合には、例えば、メモリー４３に残っている元データを校正（初期設定）以外のことに利用したり、校正時の履歴を確認したりすることができるという利点がある。
【０１２７】
なお、本工程の処理は、第４ステージ２０４にある３個の赤外線体温計１に対し、同時に行っても、順次行ってもよい。
【０１２８】
［１２］  体温計ストック部１０２にある全ての赤外線体温計１に対し、前記工程［８］〜［１１］を実行する。
【０１２９】
以上により、赤外線体温計１の全数に対し、個々の赤外線体温計１の特性に応じた校正が完了する。
【０１３０】
なお、本実施例では、恒温槽１０１内の温度を変える順番は、５℃、１５℃、２５℃および３５℃と温度の増加する順番となっているが、これに限定されるものではない。例えば、体温計ストック部１０２の赤外線体温計１の入れ替えを作業者（人間）が恒温槽１０１の中に入って行う場合には、２５℃、３５℃、５℃および１５℃の順のように、室温に近い温度から開始して室温に近い温度で終了するのが好ましい。
【０１３１】
以上のようなデータ書き込みシステムでは、各パソコンとのデータ（元データ、目的データ）の通信は、第４ステージ２０４（工程［９］、［１１］）でのみ行われ、しかも、全ての元データをサンプリングした後、最後に１回行われるため、データの通信エラーによるトラブルが発生する可能性が極めて少なく、また、データ通信の処理速度も速くなるため、全体の処理時間が短かくなり、生産性の向上に寄与する。
【０１３２】
また、元データは、その赤外線体温計１に内蔵されたメモリーに記憶しておくため、個々の赤外線体温計１とそれに対応するデータとの対応管理（同定）を容易かつ確実に行うことができる。
【０１３３】
以上、本発明の体温計を添付図面に示す実施例に基づいて説明したが、本発明は、これに限定されるものではない。
【０１３５】
また、測定機器に対する条件の変化は、前記ターゲット温度や環境温度等の温度に関するものに限らず、その他、例えば、湿度、圧力、輝度等、任意の物理量を変えたものが挙げられる。
【０１３６】
また、元データや目的データの種類も、前述したものに限られない。
また、元データや目的データを書き込む記憶媒体は、メモリーに限らず、書き換え可能な磁気ディスク、光磁気ディスク、光ディスク等であってもよい。
【０１３７】
【発明の効果】
以上述べたように、本発明によれば、データの通信エラーによるトラブルの発生を抑制することができ、また、データ通信の処理速度も速くなるため、全体の処理時間が短かくなり、生産性の向上に寄与する。
【０１３８】
また、元データは、測定機器に内蔵されたメモリーに記憶しておくため、個々の測定機器とそれに対応するデータとの対応管理（同定）を容易かつ確実に行うことができ、誤ったデータの書き込みが防止される。
【０１３９】
また、測定機器に内蔵されているメモリーを使用するので、別途メモリーの増設をする等、測定機器の構成を変更する必要がない。
【０１４０】
特に、赤外線体温計のような温度測定機器の校正やその他の初期設定等に本発明を適用する場合には、その有用性が高い。
【図面の簡単な説明】
【図１】本発明のデータ書き込みシステムの実施例を模式的に示す図である。
【図２】本発明が適用される赤外線体温計（測定機器）の概略構成図である。
【図３】図２に示す赤外線体温計における検温部の構成を示す斜視図である。
【図４】図２に示す赤外線体温計の回路構成を示すブロック図である。
【図５】基準信号とＴＰ´信号またはＶＲＥＦ信号とを示すタイミングチャートである。
【図６】Ｆｔｈ信号またはＦｒｈ信号を示すタイミングチャートである。
【図７】制御手段の演算部の回路構成を示すブロック図である。
【図８】赤外線体温計に内蔵されたメモリーのマップ（元データ書き込み時）を示す図である。
【図９】赤外線体温計に内蔵されたメモリーのマップ（目的データ書き込み時）を示す図である。
【符号の説明】
１              赤外線体温計
２              体温計本体
２１            ケーシング
３              電源スイッチ
４              測定スイッチ
５              表示部
６              プローブ
７              検温部
７１            赤外線センサー
７２            サーモパイル（熱電対列）
７３            温接点
７４            冷接点
７５            熱絶縁帯
７６            集熱部
７７            温度センサー
８              ライトガイド
９              リングナット
１１            プローブカバー
３０            回路基板
３１            制御手段
３１１          演算部
３１１ａ        直線化手段
３１１ｂ        演算器
３１２          メモリー
３１３          タイマー
３１４          カウンター
３２            増幅手段
３３            第１アンプ
３４            第２アンプ
３５            切り替えスイッチ
３６            積分回路
３７            比較器
３８            基準抵抗
３９            切り替えスイッチ
４０            電源部
４１            中継回路
４２            ブザー
４３            メモリー
４４            送・受信部
１００          データ書き込みシステム
１０１          恒温槽
１０２          体温計ストック部
１０３          システム制御部
２０１          第１ステージ
２０２          第２ステージ
２０３          第３ステージ
２０４          第４ステージ
３０１〜３０４  パソコン
４０１〜４０３  黒体炉
５０１〜５０４  ピンブロックコネクタ
【図１】
0003619356.tif 000003
【図２】
0003619356.tif 000004
【図３】
0003619356.tif 000005
【図４】
0003619356.tif 000006
【図５】
0003619356.tif 000007
【図６】
0003619356.tif 000008
【図７】
0003619356.tif 000009
【図８】
0003619356.tif 000010
【図９】
0003619356.tif 000011